(57)【要約】      （修正有）【課題】長尺材の設置や撤去の作業が容易な汎用性の高いアジャスタを提供する。【解決手段】長尺材１１の端部１１ａと被圧接部位１２ａとの間に介在され、被圧接部位１２ａに圧接した反力により長尺材１１を突っ張り状態で支持するアジャスタ２０であって、長尺材１１の端部１１ａに装着可能なベース部２１と、被圧接部位１２ａに圧接可能な圧接部２２と、圧接部２２をベース部２１に対して進退可能に支持する進退機構と、を備えている。【選択図】図１
0003229978.tif 000002
【実用新案登録請求の範囲】
【請求項１】
長尺材の端部と被圧接部位との間に介在され、前記被圧接部位に圧接した反力により前記長尺材を突っ張り状態で支持するアジャスタであって、
前記長尺材の端部に装着可能なベース部と、前記被圧接部位に圧接可能な圧接部と、前記圧接部を前記ベース部に対して進退可能に支持する進退機構と、を備えていることを特徴とするアジャスタ。
【請求項２】
前記進退機構は、前記ベース部に前記長尺材の長手方向にスライド可能となるように配設されて前記圧接部を支持する支持軸と、前記ベース部に対して回動させることで前記支持軸を前進させる第１レバーと、前記支持軸の後退を阻止及び許容するロック機構と、を備えていることを特徴とする請求項１に記載のアジャスタ。
【請求項３】
前記ロック機構は、前記ベース部に対して回動させることで前記支持軸の後退を許容する第２レバーを備え、
前記第２レバーは、前記支持軸を挿通する挿通孔を有し、前記長手方向に対して傾斜することで、前記挿通孔と前記支持軸との接触抵抗により前記支持軸の後退を阻止し、前記長手方向に対する前記傾斜を減少させることで、前記接触抵抗を低減して前記支持軸の後退を許容することを特徴とする請求項２に記載のアジャスタ。
【請求項４】
前記支持軸は角柱形状を有し、前記挿通孔は前記支持軸に対応した角孔形状を有していることを特徴とする請求項３に記載のアジャスタ。
【請求項５】
前記第１レバー及び前記第２レバーは前記ベース部の同じ側面側に突出して設けられていることを特徴とする請求項３又は４に記載のアジャスタ。
【考案の詳細な説明】
【技術分野】
【０００１】
本考案は、長尺材を突っ張り状態で支持するアジャスタに関する。
【背景技術】
【０００２】
従来、長尺材を突っ張り状態で設置する技術が種々知られている。例えば下記特許文献１には、直管の一端にねじ棒を突設し、このねじ棒に回動押圧部材を螺合して回動させることで、支持面に突っ張り状態で支持されるように構成された突っ張り棒が提案されていた。
【０００３】
また下記特許文献２には、第１接触具を有する大径パイプに対して第２接触具を備えた小径パイプをロック機構により位置決め固定することにより、突っ張り棒の全長を確定して突っ張り状態で支持されるように構成された伸縮式突っ張り棒が提案されていた。
【０００４】
これらの突っ張り棒は、突っ張り状態で支持するための構成を長尺材に一体に設けているため、専用の長尺材が必要で汎用性に欠けるものであった。
【０００５】
一方、下記特許文献３には、柱部材等の長尺材の端部に配置して該長尺材を突っ張り状態で支持する突っ張り調整具（アジャスタ）が提案されていた。
【０００６】
このアジャスタでは、長尺材の端部にケースを配置し、ケースと長尺材の端部との間に山形の突っ張り体と、突っ張り体の斜面を挟む一対の駆動コマとを配置し、一対の駆動コマ間をネジ部材等の螺合部材を回動させて締め込むことで、ケースを上昇させて長尺材を突っ張り状態で設置していた。このような構造であれば、アジャスタが長尺材とは別体のため、汎用性を向上可能であった。
【先行技術文献】
【特許文献】
【０００７】
【特許文献１】特開平９−２６２１４７号公報
【特許文献２】特開２０１８−９６３９０号公報
【特許文献３】特開２０２０−５９２０号公報
【考案の概要】
【考案が解決しようとする課題】
【０００８】
しかしながら長尺材を突っ張り状態で設置するための従来の技術では、専用の長尺材が必要であったり、限られた空間内で螺合部分を回転させて長尺材の設置や撤去を行うため作業に手間を要したりするなどの問題点があった。
【０００９】
そこで本考案では、長尺材の設置や撤去の作業が容易な汎用性の高いアジャスタを提供することを目的とする。
【課題を解決するための手段】
【００１０】
上記目的を達成するため、本考案のアジャスタは、長尺材の端部と被圧接部位との間に介在され、被圧接部位に圧接した反力により長尺材を突っ張り状態で支持するアジャスタであって、長尺材の端部に装着可能なベース部と、被圧接部位に圧接可能な圧接部と、圧接部をベース部に対して進退可能に支持する進退機構と、を備えていることを特徴としている。
【００１１】
本考案のアジャスタでは、進退機構は、ベース部に長尺材の長手方向にスライド可能となるように配設されて圧接部を支持する支持軸と、ベース部に対して回動させることで支持軸を前進させる第１レバーと、支持軸の後退を阻止及び許容するロック機構と、を備えているのがよい。
【００１２】
その場合、ロック機構は、ベース部に対して回動させることで支持軸の後退を許容する第２レバーを備え、第２レバーは、支持軸を挿通する挿通孔を有し、長手方向に対して傾斜することで、挿通孔と支持軸との接触抵抗により支持軸の後退を阻止し、長手方向に対する傾斜を減少させることで、接触抵抗を低減して支持軸の後退を許容するように構成されているのがよい。
【００１３】
また支持軸は角柱形状を有し、挿通孔は支持軸に対応した角孔形状を有しているのがよい。
【００１４】
さらに第１レバー及び第２レバーは、ベース部の同じ側面側に突出して設けられているのがよい。
【考案の効果】
【００１５】
本考案のアジャスタによれば、長尺材の端部に装着されるベース部に、圧接部が進退機構により進退可能に支持されているので、長尺材の端部と被圧接部位との間に介在させて、進退機構のレバー操作などにより圧接部を前進させれば、長尺材を突っ張り状態で設置できる。また進退機構により圧接部を後退させれば突っ張り状態を解除できる。そのため進退機構の簡易な操作で長尺材を設置したり撤去したりすることが可能で作業が容易である。しかもベース部を装着可能な長尺材であれば突っ張り状態で設置することが可能であるため、専用の長尺材を用いる必要がなくて汎用性が高い。よって本考案によれば、長尺材の設置や撤去の作業が容易な汎用性の高いアジャスタを提供することが可能である。
【図面の簡単な説明】
【００１６】
【図１】本考案の実施形態に係るアジャスタを用いた突っ張り装置より長尺材を設置した状態を示す正面図である。
【図２】本考案の実施形態に係るアジャスタを用いた突っ張り装置より長尺材を設置した状態を示す側面図である。
【図３】本考案の実施形態に係る突っ張り装置のアジャスタ及びアジャスタ受の断面図である。
【考案を実施するための形態】
【００１７】
以下、本考案の実施形態について図を用いて詳細に説明する。
【００１８】
本実施形態は、図１及び図２に示すように、長尺材１１の上端部１１ａに装着されたアジャスタ２０と、長尺材１１の下端部１１ｂに装着されたアジャスタ受３０と、を備えた突っ張り装置により、長尺材１１を天井面１２と床面１３との間に設置する例を用いて説明する。
【００１９】
長尺材１１としては、特に限定されるものではないが、本実施形態ではツーバイフォー材やツーバイシックス材等の四角形断面を有する木材を用いている。
【００２０】
アジャスタ２０は、図３に示すように、長尺材１１の上端部１１ａに装着可能なベース部２１と、天井面１２の被圧接部位１２ａに圧接可能な支え板からなる圧接部２２と、圧接部２２をベース部２１に対して長尺材１１の長手方向に進退可能に支持する進退機構２３と、を備えている。被圧接部位１２ａは長尺材１１の設置位置に対応する天井面１２の一部である。
【００２１】
ベース部２１は、長尺材１１の上端部１１ａに装着される装着部２４と、装着部２４と一体に設けられて進退機構２３が取付けられた機構取付部２５と、を有している。
【００２２】
装着部２４は、長尺材１１の上端部１１ａの断面形状に対応する凹形状を有し、上端部１１ａの側周囲に外嵌される嵌合部２４ａと、長尺材１１の上端部１１ａ先端に当接する当接部２４ｂと、を有している。
【００２３】
機構取付部２５は、嵌合部２４ａと一体に連続して設けられた外殻部２５ａと、外殻部２５ａ内の当接部２４ｂから離間する位置に、外殻部２５ａと一体に長尺材１１の長手方向と直交して設けられた取付板２５ｂと、を有する。
【００２４】
支え板からなる圧接部２２は、進退機構２３の後述する支持軸２３ｂに支持された状態で、ベース部２１から長尺材１１の長手方向に突出した位置に配置されている。圧接部２２のベース部２１側には進退機構２３の支持軸２３ｂとの連結部２２ａが設けられている。反対側となる被圧接部位１２ａ側には、被圧接部位１２ａに当接して圧接可能な圧接面２２ｂが設けられている。
【００２５】
連結部２２ａは、支持軸２３ｂの先端が嵌合されるボス部２２ｃと、ボス部２２ｃに嵌合された支持軸２３ｂを固定する固定ビス２２ｄと、ボス部２２ｃの周囲から放射方向に延設された複数のリブと、を有している。ボス部２２ｃの周囲に複数のリブ２２ｅが放射方向に設けられることで、圧接部２２に負荷される天井面１２からの反力を分散することができる。
【００２６】
圧接面２２ｂには、天井面１２の損傷を防止するとともに滑り止め作用を得るために、シリコーン等の弾性体からなるシート材２２ｆが貼り付けられている。
【００２７】
進退機構２３は、外殻部２５ａ内に配置されて取付板２５ｂに固定された立体形状の中空支持体２３ａと、圧接部２２を支持し、取付板２５ｂ及び中空支持体２３ａを貫通して長尺材１１の長手方向にスライド可能に配置された支持軸２３ｂと、中空支持体２３ａの中空部２３ｃ内に配置され、支持軸２３ｂに固定されて支持軸２３ｂと共に昇降可能な突片２３ｄと、突片２３ｄ及び支持軸２３ｂを長尺材１１側に付勢するように支持軸２３ｂ周りに配置されたコイルバネからなる第１付勢体２３ｅと、中空支持体２３ａに回動ピン２３ｆにより回動可能に支持され、一端側２３ｇ１が突片２３ｄに押圧可能に係止し、他端側２３ｇ２が外殻部２５ａの切り欠き２５ｃから突出する第１レバー２３ｇと、支持軸２３ｂの後退を阻止及び許容するロック機構２６と、を備えている。
【００２８】
ロック機構２６は、機構取付部２５の取付板２５ｂから長尺材１１側に突設された係止部２６ａと、一端側２６ｃ１が係止部２６ａの係止孔２６ｅに回動可能に係止され、他端側２６ｃ２が外殻部２５ａから突出し、中間部２６ｃ３に支持軸２３ｂが挿通される挿通孔２６ｂを有する第２レバー２６ｃと、第２レバー２６ｃを長尺材１１側に付勢するコイルバネからなる第２付勢体２６ｄと、を有している。本実施形態では、第２レバー２６ｃの他端側２６ｃ２はベース部２１の第１レバー２３ｇの他端側２３ｇ２と同じ側面側に、開口２５ｄから突出して設けられている。
【００２９】
本実施形態では、支持軸２３ｂが断面六角形の角柱形状を有しており、挿通孔２６ｂはこの支持軸２３ｂに対応した断面六角形の角孔形状を有している。さらに支持軸２３ｂと挿通孔２６ｂとのクリアランスが小さく設定されいる。そのため第２レバー２６ｃが長尺材１１の長手方向に対して傾斜して挿通孔２６ｂが傾斜すると、支持軸２３ｂと挿通孔２６ｂとの間の摺接部分の噛み込みなどにより挿通孔２６ｂと支持軸２３ｂとの接触抵抗が増大して支持軸２３ｂの長尺材１１側への摺動である後退が阻止される。
【００３０】
また長尺材１１の長手方向に対する第２レバー２６ｃの傾斜を減少させて挿通孔２６ｂの傾斜を減少させると、支持軸２３ｂと挿通孔２６ｂとの間の摺接部分の噛み込みなどを解除して挿通孔２６ｂと支持軸２３ｂとの接触抵抗を低減でき、支持軸２３ｂの長尺材１１側への後退を許容することができる。
【００３１】
一方、長尺材１１の下端部１１ｂに装着されるアジャスタ受３０は、図３に示すように、長尺材１１の下端部１１ｂの側周囲に外嵌される嵌合部３１ａと、長尺材１１の下端部１１ｂ先端に当接する当接部３１ｂと、を有し、底面が床面１３の被圧接部位１３ａと圧接可能な圧接面３１ｃとなっている。
【００３２】
本実施形態では、当接部３１ｂは長尺材１１の下端部１１ｂの断面形状に対応する形状を有して外嵌可能に構成され、下端部１１ｂの端面に対向当接する当接面３１ｄを有している。長尺材１１の下端部１１ｂの端面と当接面３１ｄとの間にはウレタン等の弾性を有するシート材３１ｅが配置されることで、長尺材１１が木材等の場合に下端部１１ｂに損傷が生じることを防止している。また圧接面３１ｃには床面１３の損傷を防止するとともに滑り止め作用を得るために、シリコーン等の弾性体からなるシート材２２ｆが貼り付けられている。
【００３３】
次に、このようなアジャスタ２０及びアジャスタ受３０を備えた突っ張り装置を用いて長尺材１１を天井面１２と床面１３との間に設置する方法について説明する。
【００３４】
まず長尺材１１の上端部１１ａにアジャスタ２０を装着するとともに、長尺材１１の下端部１１ｂにアジャスタ受３０を装着する。この状態で所望の位置に配置することで、床面１３の被圧接部位１３ａにアジャスタ受３０の圧接面３１ｃを載置するとともに、天井面１２の被圧接部位１２ａにアジャスタ２０の圧接部２２の圧接面２２ｂを対向配置する。
【００３５】
このときアジャスタ２０は、圧接部２２を十分に後退させて、突っ張り装置を装着した状態の全長を天井面１２と床面１３との対向距離より小さくしておく。
【００３６】
次いで、アジャスタ２０の外殻部２５ａから突出している第１レバー２３ｇの他端側２３ｇ２を、長尺材１１の長手方向に沿うように長尺材１１側となる矢印Ａ方向に回動させることで、支持軸２３ｂを上昇方向へスライドさせて前進させる。
【００３７】
すると進退機構２３では、第１レバー２３ｇが回動ピン２３ｆを支点に回動し、中空支持体２３ａの中空部２３ｃ内で第１レバー２３ｇの一端側２３ｇ１が上昇して、支持軸２３ｂに固定された突片２３ｄを第１付勢体２３ｅの付勢力に抗して上昇させる。これにより支持軸２３ｂを長尺材１１の長手方向にスライドさせて上昇させ、圧接部２２を上昇させることができる。
【００３８】
そして圧接部２２が天井面１２の被圧接部位１２ａに当接し、さらに第１レバー２３ｇの他端側２３ｇ２を回動方向Ａに加圧すると、圧接部２２の圧接面２２ｂを被圧接部位１２ａに圧接することができる。
【００３９】
一方、ロック機構２６では、第２レバー２６ｃが第２付勢体２６ｄにより常時傾斜するように付勢されているため、第２レバー２６ｃの挿通孔２６ｂに支持軸２３ｂが接した状態で保たれている。この状態で第１レバー２３ｇの操作で支持軸２３ｂが上昇すると、第２レバー２６ｃの挿通孔２６ｂに対して支持軸２３ｂが摺動して上昇する。
【００４０】
この間、支持軸２３ｂの上方方向の摩擦により第２レバー２６ｃが回動変位したとしても、傾斜を小さくする方向に回動変位するため、摩擦力が低減され、支持軸２３ｂの上昇が阻害されることはない。
【００４１】
そして圧接部２２が天井面１２の被圧接部位１２ａに到達して支持軸２３ｂの上昇が停止すると、第２レバー２６ｃの挿通孔２６ｂには支持軸２３ｂからの上方方向の摩擦力は作用しないため、第２付勢体２６ｄにより第２レバー２６ｃが傾斜を増大する方向に付勢される。そのため第２レバー２６ｃの挿通孔２６ｂの傾斜が増大することで、第２レバーの挿通孔２６ｂと支持軸２３ｂとの間の摩擦力が増大する。このとき圧接部２２が被圧接部位１２ａに圧接した反力で支持軸２３ｂに下降方向の力が作用するため、挿通孔２６ｂと支持軸２３ｂとの間の摩擦力がさらに増大する。
【００４２】
その結果、第２レバー２６ｃの挿通孔２６ｂの摩擦力により、圧接部２２が被圧接部位１２ａに圧接した状態で、支持軸２３ｂの後退を強固に阻止することができる。
【００４３】
このようにして長尺材１１の上端部１１ａと被圧接部位１２ａとの間に介在させたアジャスタ２０により圧接部２２を天井面１２の被圧接部位１２ａに圧接させることで、その反力により長尺材１１を突っ張り状態で支持することができ、長尺材１１を所望の位置に設置することができる。
【００４４】
一方、長尺材１１を設置位置から撤去する場合には、アジャスタ２０の外殻部２５ａから突出している第２レバー２６ｃの他端側２６ｃ２を、長尺材１１の長手方向に沿うように長尺材１１とは反対側となる矢印Ｂ方向に回動させる。第２レバー２６ｃには、第２付勢体２６ｄからの付勢力と支持軸２３ｂからの大きな摩擦力が付加されているため、これらに抗して強く回動させる。
【００４５】
すると長尺材１１の長手方向に対する第２レバー２６ｃの傾斜が低減し、第２レバー２６ｃの挿通孔２６ｂの傾斜が低減する。これにより挿通孔２６ｂと支持軸２３ｂとの間の摩擦力が低減し、支持軸２３ｂの後退方向の規制が解除される。
【００４６】
その結果、支持軸２３ｂが第１付勢体２３ｅからの付勢力や重力などにより長尺材１１側に移動し、天井面１２の被圧接部位１２ａに対する圧接部２２の圧接が解除される。これに伴い圧接により長尺材１１に作用していた反力が消滅することで、長尺材１１を自在に撤去することが可能となる。
【００４７】
以上のような本実施形態のアジャスタ２０によれば、長尺材１１の上端部１１ａに装着されるベース部２１に、圧接部２２が進退機構２３により進退可能に支持されているので、進退機構２３により圧接部２２を前進させれば被圧接部位１２ａに圧接して長尺材１１を突っ張り状態で設置でき、進退機構２３により圧接部２２を後退させれば、突っ張り状態を解除できる。そのため進退機構２３の簡易な操作で、長尺材１１を容易に設置したり撤去したりできる。
【００４８】
しかもベース２１部の装着部２４が装着可能な形状を有する長尺材１１であれば、特に制限なくアジャスタ２０により突っ張り状態で設置することができ、汎用性も高く、またその用途の自由度も高い。
【００４９】
例えば本実施形態のように汎用されているツーバイフォー材を天井面１２と床面１３との間に縦方向に設置したり、ツーバイフォー材を互いに対向する一対の壁面間に横方向に設置したりすることができる。
【００５０】
また汎用されているツーバイフォー材からなる一対の長尺材１１を、それぞれアジャスタ２０及びアジャスタ受３０を用いて突っ張り状態で鉛直方向に設置することで、互いに所定間隔で離間して対向配置し、さらにこれらのツーバイフォー材からなる長尺材１１間に、別のツーバイフォー材を適宜な長さで水平方向に配置してアジャスタ２０及びアジャスタ受３０を用いて突っ張り状態で設置することで、各種の物品を掛けたり、並べて配置したりする棚を構築するなども可能である。
【００５１】
即ち、アジャスタ２０を用いて長尺材１１を設置すれば、汎用されている各種の長尺材を被圧接面２２ｂに何ら損傷を与えることなく十分な強度で突っ張り状態で設置して各種の用途に使用することが可能である。
【００５２】
また本実施形態のアジャスタ２０によれば、進退機構２３がベース部２１に長尺材１１の長手方向にスライド可能となるように配設されて圧接部２２を支持する支持軸２３ｂと、ベース部２１に対して回動させることで支持軸２３ｂを前進させる第１レバー２３ｇと、支持軸２３ｂの後退を阻止及び許容するロック機構２６と、を備えている。
【００５３】
そのため第１レバー２３ｇを回動させて支持軸２３ｂを上昇方向に前進させて支持軸２３ｂの後退をロック機構２６により阻止すれば、圧接部２２を上昇方向に前進させて長尺材１１を伸長した状態に保つことができ、圧接部２２を被圧接部位１２ａに対向させた状態で第１レバー２３ｇを回動させるだけで容易に長尺材１１を突っ張り状態で設置することが可能である。
【００５４】
一方、ロック機構２６により支持軸２３ｂの後退を許容すれば、圧接部２２を後退させて長尺材１１を収縮させることができ、長尺材１１の突っ張り状態を容易に解除して撤去することが可能である。
【００５５】
従って第１レバー２３ｇやロック機構２６の簡単な操作で、容易に長尺材１１を設置したり撤去したりすることができて使い勝手がよい。
【００５６】
さらに本実施形態のアジャスタ２０によれば、ロック機構２６が、ベース部２１に対して回動可能な第２レバー２６ｃに支持軸２３ｂを挿通する挿通孔２６ｂを備え、第２レバー２６ｃが長手方向に対して傾斜することで、挿通孔２６ｂと支持軸２３ｂとの接触抵抗により支持軸２３ｂの後退を阻止し、傾斜を減少させることで、接触抵抗を低減して支持軸２３ｂの後退を許容するように構成されている。そのため支持軸２３ｂの後退を阻止したり許容したりする構成が簡易であり、しかもその構造が操作を入力するための第２レバー２６ｃに設けられているので、部品点数を少なくできる。従ってロック機構２６を簡素化することができる。
【００５７】
また本実施形態のアジャスタ２０によれば、支持軸２３ｂが角柱形状を有し、挿通孔２６ｂが支持軸２３ｂに対応した角孔形状を有しているので、挿通孔２６ｂを傾斜させた際に接触する支持軸２３ｂとの噛み込みなどによる接触抵抗を確保し易くでき、動作の確実性を向上できる。
【００５８】
さらに本実施形態のアジャスタ２０によれば、第１レバー２３ｇの他端側２３ｇ２及び第２レバー２６ｃの他端側２６ｃ２がベース部２１の同じ側面側に突出して設けられているので、第１レバー２３ｇと第２レバー２６ｃとを同じ側から操作できる。そのため両者を操作しやすい向きで長尺材１１を配置することで、長尺材１１の設置や撤去が行い易くできて使い勝手がよい。
【００５９】
なお上記実施形態は、本考案の範囲内において適宜変更可能である。例えば上記実施形態では、長尺材１１を上下方向や左右方向に設置する例について説明したが、前後方向であっても傾斜方向であってもよく、両端部１１ａ，１１ｂがそれぞれ周囲の被圧接部位１２ａ，１３ａと対向配置される限り、設置方向や設置場所は任意に設定可能である。
【００６０】
また上記実施形態では、アジャスタ２０とアジャスタ受３０とからなる突っ張り装置の例について説明したが、アジャスタ受３０を用いることなく、アジャスタ２０単独で使用して長尺材１１を設置することも可能である。
【００６１】
さらに上記実施形態では、長尺材１１の上端部にアジャスタ２０を装着した例について説明したが、下端部に装着していてもよく、両端部に装着することも可能である。
【００６２】
また上記では、圧接部２２として支え板からなるものについて説明したが、板状のものに限定されず、例えばブロック状の圧接部であっても、異形形状の圧接部であってもよい。
【符号の説明】
【００６３】
１１  長尺材
１１ａ  上端部
１１ｂ  下端部
１２  天井面
１２ａ  被圧接部位
１３  床面
１３ａ  被圧接部位
２０  アジャスタ
２１  ベース部
２２  圧接部
２２ａ  連結部
２２ｂ  圧接面
２２ｃ  ボス部
２２ｄ  固定ビス
２２ｅ  リブ
２２ｆ  シート材
２３  進退機構
２３ａ  中空支持体
２３ｂ  支持軸
２３ｃ  中空部
２３ｄ  突片
２３ｅ  第１付勢体
２３ｆ  回動ピン
２３ｇ  第１レバー
２３ｇ１  一端側
２３ｇ２  他端側
２４  装着部
２４ａ  嵌合部
２４ｂ  当接部
２５  機構取付部
２５ａ  外殻部
２５ｂ  取付板
２５ｃ  切り欠き
２５ｄ  開口
２６  ロック機構
２６ａ  係止部
２６ｂ  挿通孔
２６ｃ  第２レバー
２６ｃ１  一端側
２６ｃ２  他端側
２６ｃ３  中間部
２６ｄ  第２付勢体
２６ｅ  係止孔
３０  アジャスタ受
３１ａ  嵌合部
３１ｂ  当接部
３１ｃ  圧接面
３１ｄ  当接面
３１ｅ  シート材
【図１】
0003229978.tif 000003
【図２】
0003229978.tif 000004
【図３】
0003229978.tif 000005